(57)【要約】【課題】  アクティブスピーカユニットとパッシブスピーカユニットを具えたスピーカシステムにおいて、両スピーカユニットの配置の入れ替えに伴うケーブル接続作業を簡易なものとする。【解決手段】  本発明に係るスピーカシステムは、２チャンネルの音響信号を出力するセンターユニット１と、センターユニット１とシステムケーブル５を介して接続されるアクティブスピーカユニット２と、アクティブスピーカユニット２とスピーカケーブル４を介して接続されるパッシブスピーカユニット３とから構成される。アクティブスピーカユニット２は、スピーカ21と２つの出力端子部６、60へ供給すべき２チャンネルの音響信号を相互に入れ替えるセレクター７を具え、センターユニット１の制御回路11は、両出力端子部６、60の内、何れの端子部にスピーカケーブル４が接続されたかを検出して、セレクター７の切替を制御する。【選択図】      図１
2005065111.tif 000002
【特許請求の範囲】
【請求項１】
２チャンネルの音響信号を出力するセンターユニット(１)と、センターユニット(１)とシステムケーブル(５)を介して接続されるアクティブスピーカユニット(２)と、アクティブスピーカユニット(２)とスピーカケーブル(４)を介して接続されるパッシブスピーカユニット(３)とから構成され、センターユニット(１)は、システムケーブル(５)の一端が接続されるべきシステムケーブル端子部(16)を具え、アクティブスピーカユニット(２)は、スピーカ(21)と、システムケーブル(５)の他端が接続されるべきシステムケーブル端子部(８)と、スピーカケーブル(４)の一端が接続されるべき出力端子部と、システムケーブル端子部(８)に入力された２チャンネルの音響信号を増幅してスピーカ(21)及び出力端子部へ供給する増幅回路と、スピーカ(21)及び出力端子部へ供給すべき２チャンネルの音響信号を相互に切り替える信号切替回路とを具えているスピーカシステムにおいて、
前記システムケーブル(５)或いはスピーカケーブル(４)を接続すべき１つの端子部は２箇所に設けられ、これら２つの端子部の内、任意の一つの端子部に対して選択的にケーブルの接続が可能であり、少なくとも一方の端子部には、何れの端子部にケーブルが接続されたかを検出する検出回路が接続され、該検出回路による検出信号は、センターユニット(１)に配備された制御回路(11)に供給され、該制御回路(11)によって前記信号切替回路の切替動作が制御されることを特徴とするスピーカシステム。
【請求項２】
アクティブスピーカユニット(２)には、スピーカケーブル(４)を接続すべき出力端子部が２箇所に設けられている請求項１に記載のスピーカシステム。
【請求項３】
２チャンネルの音響信号を出力するセンターユニット(110)と、センターユニット(110)とシステムケーブル(５)を介して接続されるアクティブスピーカユニット(25)と、アクティブスピーカユニット(25)とスピーカケーブル(４)を介して接続されるパッシブスピーカユニット(３)とから構成され、アクティブスピーカユニット(25)は、スピーカ(21)と、システムケーブル(５)の一端が接続されるべきシステムケーブル端子部(80)と、スピーカケーブル(４)の一端が接続されるべき出力端子部(67)と、システムケーブル端子部(80)に入力された２チャンネルの音響信号を増幅してスピーカ(21)及び出力端子部(67)へ供給する増幅回路と、スピーカ(21)及び出力端子部(67)へ供給すべき２チャンネルの音響信号を相互に切り替える信号切替回路とを具えているスピーカシステムにおいて、センターユニット(110)は、
ユーザの入力操作に応じて、前記信号切替回路に対する切替制御信号を作成し、システムケーブル(５)を経てアクティブスピーカユニット(25)に供給する切替制御手段と、
スピーカケーブル(４)の一端がアクティブスピーカユニット(25)の出力端子部(67)に接続されたことを検知する接続検知手段と、
前記接続検知手段によって接続が検知されたとき、信号切替回路をその時点の切替状態にロックする切替状態ロック手段
とを具えていることを特徴とするスピーカシステム。
【請求項４】
切替状態ロック手段は、スピーカケーブル(４)の一端がアクティブスピーカユニット(25)の出力端子部(67)から切り離されるまで、前記信号切替回路のロックを保持する請求項３に記載のスピーカシステム。
【発明の詳細な説明】
【技術分野】
【０００１】
本発明は、アクティブスピーカユニットとパッシブスピーカユニットを具えたスピーカシステムに関するものである。
【背景技術】
【０００２】
パッシブスピーカユニットは、音響空間を形成するキャビネットにスピーカを取り付けて構成され、該スピーカには、外部の増幅器によって増幅した音響信号が供給されるが、近年、省スペース型のスピーカユニットとして、キャビネットに増幅器を内蔵したアクティブスピーカユニットが開発されている(例えば特許文献１参照)。
【０００３】
図５は、アクティブスピーカユニット(90)とパッシブスピーカユニット(100)を用いて２チャンネル(ステレオ)のスピーカシステムを構成したものであって、アクティブスピーカユニット(90)のキャビネット(92)には、スピーカ(91)と、左チャンネル(Ｌｃｈ)音響信号及び右チャンネル(Ｒｃｈ)音響信号が入力されるべき一対の信号入力端子(95)(96)と、２チャンネルの音響信号を増幅する一対の増幅器(93)(94)と、増幅器(93)(94)に電力を供給する電源回路(99)と、増幅器(93)(94)によって増幅された左チャンネル音響信号及び右チャンネル音響信号を出力すべき一対の信号出力端子(97)(98)とが配備されている。
【０００４】
上記スピーカシステム(９)においては、商用電源のコンセントが部屋の左側に配備されているか、右側に配備されているかに応じて、アクティブスピーカユニット(90)とパッシブスピーカユニット(100)の配置を決定することが出来る。
即ち、商用電源のコンセントが部屋の左側に配備されている場合には、図５に示す如くアクティブスピーカユニット(90)を向かって左側に配置し、パッシブスピーカユニット(100)を向かって右側に配置する。そして、アクティブスピーカユニット(90)のスピーカ(91)から伸びるスピーカケーブル(48)をアクティブスピーカユニット(90)の左チャンネル音響信号出力端子(97)に接続すると共に、パッシブスピーカユニット(100)のスピーカ(101)から伸びるスピーカケーブル(49)をアクティブスピーカユニット(90)の右チャンネル音響信号出力端子(98)に接続する。
これによって、アクティブスピーカユニット(90)の電源回路(99)から伸びる電源コード(103)を最短距離で電源コンセントに接続することが出来る。
【０００５】
これに対し、商用電源のコンセントが部屋の右側に配備されている場合には、アクティブスピーカユニット(90)を向かって右側に配置し、パッシブスピーカユニット(100)を向かって左側に配置する。そして、アクティブスピーカユニット(90)のスピーカ(91)から伸びるスピーカケーブル(48)をアクティブスピーカユニット(90)の右チャンネル音響信号出力端子(98)に接続すると共に、パッシブスピーカユニット(100)のスピーカ(101)から伸びるスピーカケーブル(49)をアクティブスピーカユニット(90)の左チャンネル音響信号出力端子(97)に接続する。
これによって、アクティブスピーカユニット(90)の電源回路(99)から伸びる電源コード(103)を最短距離で電源コンセントに接続することが出来る。
【特許文献１】特開平１０−３１３４９６号公報［H04R3/00］
【発明の開示】
【発明が解決しようとする課題】
【０００６】
しかしながら、上記スピーカシステム(９)においては、例えば図５に示すアクティブスピーカユニット(90)とパッシブスピーカユニット(100)の配置を入れ替える必要が生じた場合、両スピーカユニット(90)(100)から伸びる２本のスピーカケーブル(48)(49)をアクティブスピーカユニット(90)の信号出力端子(97)(98)からそれぞれ引き抜いた後、アクティブスピーカユニット(90)のスピーカ(91)から伸びるスピーカケーブル(48)をアクティブスピーカユニット(90)の右チャンネル音響信号出力端子(98)に接続し、更にパッシブスピーカユニット(100)のスピーカ(101)から伸びるスピーカケーブル(49)をアクティブスピーカユニット(90)の左チャンネル音響信号出力端子(97)に接続しなければならないため、作業が煩雑である問題があった。
【０００７】
そこで本発明の目的は、アクティブスピーカユニットとパッシブスピーカユニットを具えたスピーカシステムにおいて、両スピーカユニットの配置の入れ替えに伴うケーブルの接続作業を従来よりも簡易なものとすることである。
【課題を解決するための手段】
【０００８】
本発明に係る第１のスピーカシステムは、２チャンネルの音響信号を出力するセンターユニット(１)と、センターユニット(１)とシステムケーブル(５)を介して接続されるアクティブスピーカユニット(２)と、アクティブスピーカユニット(２)とスピーカケーブル(４)を介して接続されるパッシブスピーカユニット(３)とから構成される。
センターユニット(１)は、システムケーブル(５)の一端が接続されるべきシステムケーブル端子部(16)を具えている。又、アクティブスピーカユニット(２)は、スピーカ(21)と、システムケーブル(５)の他端が接続されるべきシステムケーブル端子部(８)と、スピーカケーブル(４)の一端が接続されるべき出力端子部と、システムケーブル端子部(８)に入力された２チャンネルの音響信号を増幅してスピーカ(21)及び出力端子部へ供給する増幅回路と、スピーカ(21)及び出力端子部へ供給すべき２チャンネルの音響信号を相互に切り替える信号切替回路とを具えている。
そして、前記システムケーブル(５)或いはスピーカケーブル(４)を接続すべき１つの端子部は２箇所に設けられ、これら２つの端子部の内、任意の一つの端子部に対して選択的にケーブルの接続が可能であって、少なくとも一方の端子部には、何れの端子部にケーブルが接続されたかを検出する検出回路が接続され、該検出回路による検出信号は、センターユニット(１)に配備された制御回路(11)に供給され、該制御回路(11)によって前記信号切替回路の切替動作が制御される。
【０００９】
上記本発明のスピーカシステムにおいて、アクティブスピーカユニット(２)を左側に配置し、パッシブスピーカユニット(３)を右側に配置する場合、ユーザは、システムケーブル(５)或いはスピーカケーブル(４)を接続すべき前記２つの端子部の内、第１の端子部(６)にケーブルを接続する。逆にアクティブスピーカユニット(２)を右側に配置し、パッシブスピーカユニット(３)を左側に配置する場合、ユーザは、第２の端子部(60)にケーブルを接続する。
ケーブルが第１の端子部(６)に接続された場合、検出回路によって該接続が検知され、制御回路(11)は、アクティブスピーカユニット(２)のスピーカ(21)に左チャンネル音響信号が供給されると共にパッシブスピーカユニット(３)のスピーカ(31)に右チャンネル音響信号が供給される様、信号切替回路を切り替える。これに対し、ケーブルが第２の端子部(60)に接続された場合、検出回路によって該接続が検出され、制御回路(11)は、アクティブスピーカユニット(２)のスピーカ(21)に右チャンネル音響信号が供給されると共にパッシブスピーカユニット(３)のスピーカ(31)に左チャンネル音響信号が供給される様、信号切替回路を切り替える。
【００１０】
本発明に係る第２のスピーカシステムは、２チャンネルの音響信号を出力するセンターユニット(110)と、センターユニット(110)とシステムケーブル(５)を介して接続されるアクティブスピーカユニット(25)と、アクティブスピーカユニット(25)とスピーカケーブル(４)を介して接続されるパッシブスピーカユニット(３)とから構成される。
アクティブスピーカユニット(25)は、スピーカ(21)と、システムケーブル(５)の一端が接続されるべきシステムケーブル端子部(80)と、スピーカケーブル(４)の一端が接続されるべき出力端子部(67)と、システムケーブル端子部(80)に入力された２チャンネルの音響信号を増幅してスピーカ(21)及び出力端子部(67)へ供給する増幅回路と、スピーカ(21)及び出力端子部(67)へ供給すべき２チャンネルの音響信号を相互に切り替える信号切替回路とを具えている。
そして、センターユニット(110)は、
ユーザの入力操作に応じて、前記信号切替回路に対する切替制御信号を作成し、システムケーブル(５)を経てアクティブスピーカユニット(25)に供給する切替制御手段と、
スピーカケーブル(４)の一端がアクティブスピーカユニット(25)の出力端子部(67)に接続されたことを検知する接続検知手段と、
前記接続検知手段によって接続が検知されたとき、信号切替回路をその時点の切替状態にロックする切替状態ロック手段
とを具えている。
【００１１】
上記本発明のスピーカシステムにおいては、アクティブスピーカユニット(25)を左側に配置し、パッシブスピーカユニット(３)を右側に配置する場合、ユーザは、センターユニット(110)に対する入力操作によって、その配置を指示する。逆にアクティブスピーカユニット(２)を右側に配置し、パッシブスピーカユニット(３)を左側に配置する場合、ユーザは、センターユニット(110)に対する入力操作によって、その配置を指示する。
【００１２】
アクティブスピーカユニット(25)を左側に配置し、パッシブスピーカユニット(３)を右側に配置する旨の指示が与えられた場合、センターユニット(110)の切替制御手段は、アクティブスピーカユニット(25)のスピーカ(21)に左チャンネル音響信号が供給されると共にパッシブスピーカユニット(３)のスピーカ(31)に右チャンネル音響信号が供給される様、信号切替回路を切り替える。これに対し、アクティブスピーカユニット(25)を右側に配置し、パッシブスピーカユニット(３)を左側に配置する旨の指示が与えられた場合、センターユニット(110)の切替制御手段は、アクティブスピーカユニット(２)のスピーカ(21)に右チャンネル音響信号が供給されると共にパッシブスピーカユニット(３)のスピーカ(31)に左チャンネル音響信号が供給される様、信号切替回路を切り替える。
【００１３】
その後、スピーカケーブル(４)の一端がアクティブスピーカユニット(25)の出力端子部(67)に接続されると、該接続が検知され、該検知に基づいて、信号切替回路がその時点の切替状態にロックされる。そして、該ロックは、スピーカケーブル(４)の一端がアクティブスピーカユニット(25)の出力端子部(67)から切り離されるまで保持される。
【発明の効果】
【００１４】
本発明によれば、アクティブスピーカユニットとパッシブスピーカユニットを具えたスピーカシステムにおいて両スピーカユニットの配置を入れ替える場合、ユーザは、１本のケーブルを２つの端子部の何れか一方に選択的に接続し、或いは両スピーカユニットの配置を指示する入力操作を行なうだけで、両スピーカユニットのチャンネルを相互に切り替えることが出来るので、２本のケーブルを再接続しなければならない従来のスピーカシステムに比べて作業が簡易となる。
【発明を実施するための最良の形態】
【００１５】
以下、本発明を２チャンネル(ステレオ)のスピーカシステムに実施した形態につき、図面に沿って具体的に説明する。
【００１６】
第１実施例
本実施例のスピーカシステムは、図１に示す如く、左チャンネル(Ｌｃｈ)と右チャンネル(Ｒｃｈ)の２チャンネルの音響信号を出力するセンターユニット(１)と、センターユニット(１)とシステムケーブル(５)を介して接続されるアクティブスピーカユニット(２)と、アクティブスピーカユニット(２)とスピーカケーブル(４)を介して接続されるパッシブスピーカユニット(３)とから構成される。
【００１７】
センターユニット(１)は、キャビネット(10)に、チューナ(13)とＣＤ再生装置(14)の２つの音源を内蔵し、チューナ(13)及びＣＤ再生装置(14)の出力端はセレクター(15)を介して音響信号処理回路(12)に接続されており、セレクター(15)によって選択された何れか一方の音源から得られる左チャンネル音響信号と右チャンネル音響信号が、音響信号処理回路(12)にて必要な信号処理を受けた後、キャビネット(10)に取り付けられたシステムケーブル端子部(16)に印加される。セレクター(15)は制御回路(11)によって切替動作が制御されている。又、キャビネット(10)には、必要な回路部に電力を供給するための電源回路(19)が内蔵されている。
【００１８】
システムケーブル(５)は、左チャンネル音響信号線(51)、右チャンネル音響信号線(52)、制御信号線(55)、第１検出信号線(56)及び第２検出信号線(57)の５本の信号線から構成されており、該システムケーブル(５)の一端がセンターユニット(１)のシステムケーブル端子部(16)に接続される。
【００１９】
アクティブスピーカユニット(２)は、音響空間を形成するキャビネット(20)を具え、該キャビネット(20)には、スピーカ(21)が配備されると共に、システムケーブル(５)の他端が接続されるべきシステムケーブル端子部(８)が取り付けられている。
システムケーブル端子部(８)は、左チャンネル音響信号入力端子(81)、右チャンネル音響信号入力端子(82)、第１検出信号出力端子(83)、第２検出信号出力端子(84)及び制御信号入力端子(88)の５つの端子を具えている。
【００２０】
システムケーブル端子部(８)の左チャンネル音響信号入力端子(81)及び右チャンネル音響信号入力端子(82)は、一対の切替スイッチ(71)(72)から構成されるセレクター(７)を介して、第１増幅器(23)及び第２増幅器(24)に接続されており、セレクター(７)の切替によって、左チャンネル音響信号入力端子(81)を第１増幅器(23)に接続すると共に、右チャンネル音響信号入力端子(82)を第２増幅器(24)に接続した第１の接続状態と、逆に左チャンネル音響信号入力端子(81)を第２増幅器(24)に接続すると共に、右チャンネル音響信号入力端子(82)を第１増幅器(23)に接続した第２の接続状態とを設定することが出来る。
第１増幅器(23)及び第２増幅器(24)には電源回路(29)から必要な電力が供給される。
【００２１】
第１増幅器(23)の出力端はスピーカ(21)に接続され、第２増幅器(24)の出力端は、第１分岐線(86)及び第２分岐線(87)を介して、キャビネット(20)に取り付けられた第１出力端子部(６)及び第２出力端子部(60)にそれぞれ接続されている。
第１出力端子部(６)は、出力端子(61)、アース端子(62)及び検出端子(63)を具え、第２出力端子部(60)は、出力端子(64)、アース端子(65)及び検出端子(66)を具えている。
【００２２】
システムケーブル端子部(８)の制御信号入力端子(88)から得られる制御信号ははセレクター(７)に供給される。
第１出力端子部(６)の検出端子(63)は、プルアップ抵抗Ｒ１を介して、システムケーブル端子部(８)の第１検出信号出力端子(83)に接続されている。又、第２出力端子部(60)の検出端子(66)は、プルアップ抵抗Ｒ２を介して、システムケーブル端子部(８)の第２検出信号出力端子(84)に接続されている。
【００２３】
スピーカケーブル(４)は、音響信号線(41)、アース線(42)及び検出信号線(43)の３本の信号線から構成され、該スピーカケーブル(４)の一端は、アクティブスピーカユニット(２)の第１出力端子部(６)又は第２出力端子部(60)に接続される。
パッシブスピーカユニット(３)は、音響空間を形成するキャビネット(30)を具え、該キャビネット(30)にはスピーカ(31)が配備されており、スピーカケーブル(４)の他端がパッシブスピーカユニット(３)に接続されている。これによってスピーカケーブル(４)のアース線(43)はパッシブスピーカユニット(３)内でアースされている。
【００２４】
上記スピーカシステムにおいては、図１に示す如く、アクティブスピーカユニット(２)を向かって左側に配置し、パッシブスピーカユニット(３)を向かって右側に配置する場合、パッシブスピーカユニット(３)から伸びるスピーカケーブル(４)は、アクティブスピーカユニット(２)の第１出力端子部(６)に接続する。
これによって、スピーカケーブル(４)の検出信号線(43)が第１出力端子部(６)の検出端子(63)に接続されて、システムケーブル端子部(８)の第１検出信号出力端子(83)がアースされ、ローの電位となる。一方、第２出力端子部(60)の検出端子(66)はオープンの状態となるので、システムケーブル端子部(８)の第２検出信号出力端子(84)はプルアップされて、ハイの電位となる。
このシステムケーブル端子部(８)の第１検出信号出力端子(83)及び第２検出信号出力端子(84)のハイ／ローの電位状態は、システムケーブル(５)の第１検出信号線(56)及び第２検出信号線(57)を経て、センターユニット(１)のシステムケーブル端子部(16)から制御回路(11)に取り込まれ、これによって、スピーカケーブル(４)がアクティブスピーカユニット(２)の第１出力端子部(６)に接続されたことが検出される。
【００２５】
そこで、センターユニット(１)の制御回路(11)は、アクティブスピーカユニット(２)のセレクター(７)の２つの切替スイッチ(71)(72)をそれぞれ端子ａ及びｃ側に切り替えるための制御信号を作成し、該制御信号をシステムケーブル(５)の制御信号線(55)を経て、アクティブスピーカユニット(２)の制御信号入力端子(88)へ送出する。これによって、該制御信号はセレクター(７)へ供給されて、２つの切替スイッチ(71)(72)がそれぞれ端子ａ及びｃ側に切り替えられる。
【００２６】
この結果、センターユニット(１)の音響信号処理回路(12)から出力される左チャンネル音響信号は、システムケーブル(５)の左チャンネル音響信号線(51)を経て、アクティブスピーカユニット(２)へ供給され、該音響信号は、セレクター(７)の切替スイッチ(71)及び第１増幅器(23)を経て、スピーカ(21)に供給される。又、センターユニット(１)の音響信号処理回路(12)から出力される右チャンネル音響信号は、システムケーブル(５)の右チャンネル音響信号線(52)を経て、アクティブスピーカユニット(２)へ供給され、該音響信号は、セレクター(７)の切替スイッチ(72)及び第２増幅器(24)を経て、第１出力端子部(６)の出力端子(61)に印加される。そして、該音響信号は、スピーカケーブル(４)の音響信号線(41)を経て、パッシブスピーカユニット(３)のスピーカ(31)に供給される。
斯くして、左側に配置されたアクティブスピーカユニット(２)からは左チャンネルの音響が発せられ、右側に配置されたパッシブスピーカユニット(３)からは右チャンネルの音響が発せられることになる。
【００２７】
これに対し、図２に示す如く、アクティブスピーカユニット(２)を向かって右側に配置し、パッシブスピーカユニット(３)を向かって左側に配置する場合、パッシブスピーカユニット(３)から伸びるスピーカケーブル(４)は、アクティブスピーカユニット(２)の第２出力端子部(60)に接続する。
これによって、スピーカケーブル(４)の検出信号線(43)が第２出力端子部(60)の検出端子(66)に接続されて、システムケーブル端子部(８)の第２検出信号出力端子(84)がアースされ、ローの電位となる。一方、第１出力端子部(６)の検出端子(63)はオープンの状態となるので、システムケーブル端子部(８)の第１検出信号出力端子(83)はプルアップされて、ハイの電位となる。
このシステムケーブル端子部(８)の第１検出信号出力端子(83)及び第２検出信号出力端子(84)のハイ／ローの電位状態は、システムケーブル(５)の第１検出信号線(56)及び第２検出信号線(57)を経て、センターユニット(１)のシステムケーブル端子部(16)から制御回路(11)に取り込まれ、これによって、スピーカケーブル(４)がアクティブスピーカユニット(２)の第２出力端子部(60)に接続されたことが検出される。
【００２８】
そこで、センターユニット(１)の制御回路(11)は、アクティブスピーカユニット(２)のセレクター(７)の２つの切替スイッチ(71)(72)をそれぞれ端子ｂ及びｄ側に切り替えるための制御信号を作成し、該制御信号をシステムケーブル(５)の制御信号線(55)を経て、アクティブスピーカユニット(２)の制御信号入力端子(88)へ送出する。これによって、該制御信号はセレクター(７)へ供給されて、２つの切替スイッチ(71)(72)がそれぞれ端子ｂ及びｄ側に切り替えられる。
【００２９】
この結果、センターユニット(１)の音響信号処理回路(12)から出力される左チャンネル音響信号は、システムケーブル(５)の左チャンネル音響信号線(51)を経て、アクティブスピーカユニット(２)へ供給され、該音響信号は、セレクター(７)の切替スイッチ(72)及び第２増幅器(24)を経て、第２出力端子部(60)の出力端子(64)に印加される。そして、該音響信号は、スピーカケーブル(４)の音響信号線(41)を経て、パッシブスピーカユニット(３)のスピーカ(31)に供給される。又、センターユニット(１)の音響信号処理回路(12)から出力される右チャンネル音響信号は、システムケーブル(５)の右チャンネル音響信号線(52)を経て、アクティブスピーカユニット(２)へ供給され、該音響信号は、セレクター(７)の切替スイッチ(71)及び第１増幅器(23)を経て、スピーカ(21)に供給される。
斯くして、左側に配置されたパッシブスピーカユニット(３)からは左チャンネルの音響が発せられ、右側に配置されたアクティブスピーカユニット(２)からは右チャンネルの音響が発せられることになる。
【００３０】
上述の如く、本実施例のスピーカシステムにおいては、アクティブスピーカユニット(２)とパッシブスピーカユニット(３)の配置を入れ替える必要が生じた場合、ユーザは、両スピーカユニット(２)(３)の配置に応じて、スピーカケーブル(４)をアクティブスピーカユニット(２)の第１出力端子部(６)或いは第２出力端子部(60)に接続するだけで、セレクター(７)が自動的に切り替えられて、両スピーカユニット(２)(３)のチャンネルが相互に切り替えられるので、２本のケーブルの再接続を行なわなければならなかった従来のスピーカシステムに比べて、ケーブルの接続作業が簡易なものとなる。
【００３１】
第２実施例
本実施例のスピーカシステムは、図３に示す如く、左チャンネル(Ｌｃｈ)と右チャンネル(Ｒｃｈ)の２チャンネルの音響信号を出力するセンターユニット(110)と、センターユニット(110)とシステムケーブル(５)を介して接続されるアクティブスピーカユニット(25)と、アクティブスピーカユニット(25)とスピーカケーブル(４)を介して接続されるパッシブスピーカユニット(３)とから構成される。
【００３２】
センターユニット(110)は、キャビネット(111)に、チューナ(13)とＣＤ再生装置(14)の２つの音源を内蔵しており、チューナ(13)及びＣＤ再生装置(14)の出力端はセレクター(15)を介して音響信号処理回路(12)に接続されており、セレクター(15)によって選択された何れか一方の音源から得られる左チャンネル音響信号と右チャンネル音響信号が、音響信号処理回路(12)にて必要な信号処理を受けた後、システムケーブル(５)へ送出される。セレクター(15)は制御回路(18)によって切替動作が制御されている。又、キャビネット(111)には、必要な回路部に電力を供給するための電源回路(19)が内蔵されている。
【００３３】
更に、センターユニット(110)には、入力操作装置(17)が有線若しくは無線で繋がっており、ユーザが入力操作装置(17)を操作することによって、制御回路(18)に対して各種の動作指示が与えられる。
【００３４】
システムケーブル(５)は、左チャンネル音響信号線(51)、右チャンネル音響信号線(52)、制御信号線(55)及び検出信号線(58)の４本の信号線から構成されており、その一端がセンターユニット(110)に接続されている。
【００３５】
アクティブスピーカユニット(25)は、音響空間を形成するキャビネット(26)を具え、該キャビネット(20)には、スピーカ(21)が配備されると共に、システムケーブル(５)の他端が接続されるべきシステムケーブル端子部(80)が取り付けられている。
システムケーブル端子部(80)は、左チャンネル音響信号入力端子(81)、右チャンネル音響信号入力端子(82)、検出信号出力端子(85)及び制御信号入力端子(88)の４つの端子を具えている。
【００３６】
システムケーブル端子部(80)の左チャンネル音響信号入力端子(81)及び右チャンネル音響信号入力端子(82)は、一対の切替スイッチ(71)(72)から構成されるセレクター(７)を介して、第１増幅器(23)及び第２増幅器(24)に接続されており、セレクター(７)の切替によって、左チャンネル音響信号入力端子(81)を第１増幅器(23)に接続すると共に、右チャンネル音響信号入力端子(82)を第２増幅器(24)に接続した第１の接続状態と、逆に左チャンネル音響信号入力端子(81)を第２増幅器(24)に接続すると共に、右チャンネル音響信号入力端子(82)を第１増幅器(23)に接続した第２の接続状態を設定することが出来る。
第１増幅器(23)及び第２増幅器(24)には電源回路(29)から必要な電力が供給される。
【００３７】
第１増幅器(23)の出力端はスピーカ(21)に接続され、第２増幅器(24)の出力端は、キャビネット(26)に取り付けられた出力端子部(67)に接続されている。
出力端子部(67)は、出力端子(61)、アース端子(62)及び検出端子(68)を具えている。
【００３８】
システムケーブル端子部(80)の制御信号入力端子(88)から得られる制御信号ははセレクター(７)に供給される。
出力端子部(67)の検出端子(68)は、プルアップ抵抗Ｒを介して、システムケーブル端子部(80)の検出信号出力端子(85)に接続されている。
【００３９】
スピーカケーブル(４)は、音響信号線(41)、アース線(42)及び検出信号線(43)の３本の信号線から構成され、該スピーカケーブル(４)の一端は、アクティブスピーカユニット(25)の出力端子部(67)に接続される。
パッシブスピーカユニット(３)は、音響空間を形成するキャビネット(30)を具え、該キャビネット(30)にはスピーカ(31)が配備されており、スピーカケーブル(４)の他端がパッシブスピーカユニット(３)に接続されている。これによってスピーカケーブル(４)のアース線(43)はパッシブスピーカユニット(３)内でアースされている。
【００４０】
上記スピーカシステムにおいては、図３に示す如く、アクティブスピーカユニット(２)を向かって左側に配置し、パッシブスピーカユニット(３)を向かって右側に配置する場合、ユーザは入力操作装置(17)を操作して、その配置をとる旨の指示をセンターユニット(110)に与える。
これに応じて、センターユニット(110)の制御回路(18)は、アクティブスピーカユニット(25)のセレクター(７)の２つの切替スイッチ(71)(72)をそれぞれ端子ａ及びｃ側に切り替えるための制御信号を作成し、該制御信号をシステムケーブル(５)の制御信号線(55)を経て、アクティブスピーカユニット(25)の制御信号入力端子(88)へ送出する。これによって、該制御信号はセレクター(７)へ供給されて、２つの切替スイッチ(71)(72)はそれぞれ端子ａ及びｃ側に切り替えられる。
【００４１】
その後、スピーカケーブル(４)の一端がアクティブスピーカユニット(25)の出力端子部(67)に接続されると、スピーカケーブル(４)の検出信号線(43)がアクティブスピーカユニット(25)の出力端子部(67)の検出端子(68)に接続されて、システムケーブル端子部(80)の検出信号出力端子(85)がアースされ、ハイの電位からローの電位に変化する。
このシステムケーブル端子部(80)の検出信号出力端子(85)のハイからローへの電位の切り替わりは、システムケーブル(５)の検出信号線(58)を経て、センターユニット(110)の制御回路(18)に取り込まれ、これによって、スピーカケーブル(４)がアクティブスピーカユニット(25)の出力端子部(67)に接続されたことが検知される。
【００４２】
そこで、センターユニット(110)の制御回路(18)は、前記検知に基づいて、アクティブスピーカユニット(25)のセレクター(７)を図３に示す切替状態にロックし、スピーカケーブル(４)がアクティブスピーカユニット(25)の出力端子部(67)に接続されている限り、該ロックを保持する。
【００４３】
この様にして、セレクター(７)が図３に示す切替状態に設定されることにより、センターユニット(110)の音響信号処理回路(12)から出力される左チャンネル音響信号は、システムケーブル(５)の左チャンネル音響信号線(51)を経て、アクティブスピーカユニット(25)へ供給され、該音響信号は、セレクター(７)の切替スイッチ(71)及び第１増幅器(23)を経て、スピーカ(21)に供給される。又、センターユニット(110)の音響信号処理回路(12)から出力される右チャンネル音響信号は、システムケーブル(５)の右チャンネル音響信号線(52)を経て、アクティブスピーカユニット(25)へ供給され、該音響信号は、セレクター(７)の切替スイッチ(72)及び第２増幅器(24)を経て、出力端子部(67)の出力端子(61)に印加される。そして、該音響信号は、スピーカケーブル(４)の音響信号線(41)を経て、パッシブスピーカユニット(３)のスピーカ(31)に供給される。
斯くして、左側に配置されたアクティブスピーカユニット(２)からは左チャンネルの音響が発せられ、右側に配置されたパッシブスピーカユニット(３)からは右チャンネルの音響が発せられることになる。
【００４４】
これに対し、図４に示す如く、アクティブスピーカユニット(２)を向かって右側に配置し、パッシブスピーカユニット(３)を向かって左側に配置する場合、ユーザは入力操作装置(17)を操作して、その配置をとる旨の指示をセンターユニット(110)に与える。
これに応じて、センターユニット(110)の制御回路(18)は、アクティブスピーカユニット(25)のセレクター(７)の２つの切替スイッチ(71)(72)をそれぞれ端子ｂ及びｄ側に切り替えるための制御信号を作成し、該制御信号をシステムケーブル(５)の制御信号線(55)を経て、アクティブスピーカユニット(25)の制御信号入力端子(88)へ送出する。これによって、該制御信号はセレクター(７)へ供給されて、２つの切替スイッチ(71)(72)はそれぞれ端子ｂ及びｄ側に切り替えられる。
【００４５】
その後、スピーカケーブル(４)の一端がアクティブスピーカユニット(25)の出力端子部(67)に接続されると、スピーカケーブル(４)の検出信号線(43)がアクティブスピーカユニット(25)の出力端子部(67)の検出端子(68)に接続されて、システムケーブル端子部(80)の検出信号出力端子(85)がアースされ、ハイの電位からローの電位に変化する。
このシステムケーブル端子部(80)の検出信号出力端子(85)のハイからローへの電位の切り替わりは、システムケーブル(５)の検出信号線(58)を経て、センターユニット(110)の制御回路(18)に取り込まれ、これによって、スピーカケーブル(４)がアクティブスピーカユニット(25)の出力端子部(67)に接続されたことが検知される。
【００４６】
そこで、センターユニット(110)の制御回路(18)は、前記検知に基づいて、アクティブスピーカユニット(25)のセレクター(７)を図４に示す切替状態にロックし、スピーカケーブル(４)がアクティブスピーカユニット(25)の出力端子部(67)に接続されている限り、該ロックを保持する。
【００４７】
この様にして、セレクター(７)が図４に示す切替状態に設定されることにより、センターユニット(110)の音響信号処理回路(12)から出力される左チャンネル音響信号は、システムケーブル(５)の左チャンネル音響信号線(51)を経て、アクティブスピーカユニット(25)へ供給され、該音響信号は、セレクター(７)の切替スイッチ(72)及び第２増幅器(24)を経て、出力端子部(67)の出力端子(61)に印加される。そして、該音響信号は、スピーカケーブル(４)の音響信号線(41)を経て、パッシブスピーカユニット(３)のスピーカ(31)に供給される。又、センターユニット(110)の音響信号処理回路(12)から出力される右チャンネル音響信号は、システムケーブル(５)の右チャンネル音響信号線(52)を経て、アクティブスピーカユニット(25)へ供給され、該音響信号は、セレクター(７)の切替スイッチ(71)及び第１増幅器(23)を経て、スピーカ(21)に供給される。
斯くして、左側に配置されたパッシブスピーカユニット(３)からは左チャンネルの音響が発せられ、右側に配置されたアクティブスピーカユニット(25)からは右チャンネルの音響が発せられることになる。
【００４８】
上述の如く、本実施例のスピーカシステムにおいては、アクティブスピーカユニット(25)とパッシブスピーカユニット(３)の配置を入れ替える必要が生じた場合、ユーザは、両スピーカユニット(25)(３)の配置に応じて、入力操作装置(17)を操作するだけで、セレクター(７)が自動的に切り替えられて、両スピーカユニット(25)(３)のチャンネルが相互に切り替えられるので、２本のケーブルの再接続を行なわなければならなかった従来のスピーカシステムに比べて、ケーブルの接続作業が簡易なものとなる。
【００４９】
又、スピーカケーブル(４)を一旦アクティブスピーカユニット(25)に接続すると、その後はセレクター(７)の切替状態がロックされるので、ユーザが入力操作装置(17)を誤操作したとしても、セレクター(７)がアクティブスピーカユニット(25)とパッシブスピーカユニット(３)の実際の配置に対応しない切替状態に切り替わることはない。
尚、スピーカケーブル(４)をアクティブスピーカユニット(25)から切り離せば、セレクター(７)のロックは解除され、アクティブスピーカユニット(25)とパッシブスピーカユニット(３)の配置に応じてセレクター(７)を切り替えることが可能となる。
【００５０】
尚、本発明の各部構成は上記実施の形態に限らず、特許請求の範囲に記載の技術的範囲内で種々の変形が可能である。例えば、第１実施例において何れの出力端子部にスピーカケーブルが接続されたかを検出する検出回路としては、検出端子(63)(66)とプルアップ抵抗Ｒ１、Ｒ２を用いた構成に限らず、周知の種々の構成を採用することが出来る。又、アクティブスピーカユニット(２)に２つの出力端子部(６)(60)を設ける構成に限らず、システムケーブル端子部(８)を２箇所に設ける構成や、センターユニット(１)のシステムケーブル端子部(16)を２箇所に設ける構成を採用することも可能である。
更に、上記２つの実施例では、２チャンネルのスピーカユニットによってスピーカシステムを構成しているが、更に多くのチャンネルのスピーカユニットからなるスピーカシステムに本発明を実施することも可能である。
更に又、第１実施例と第２実施例を組み合わせた構成を採用することも可能である。
【図面の簡単な説明】
【００５１】
【図１】本発明の第１実施例のスピーカシステムにおける第１の接続状態を示すブロック図である。
【図２】同上のスピーカシステムにおける第２の接続状態を示すブロック図である。
【図３】本発明の第２実施例のスピーカシステムにおける第１の接続状態を示すブロック図である。
【図４】同上のスピーカシステムにおける第２の接続状態を示すブロック図である。
【図５】従来のスピーカシステムの接続状態を示すブロック図である。
【符号の説明】
【００５２】
(１)  センターユニット
(11)  制御回路
(16)  システムケーブル端子部
(17)  入力操作装置
(２)  アクティブスピーカユニット
(21)  スピーカ
(23)  第１増幅器
(24)  第２増幅器
(３)  パッシブスピーカユニット
(31)  スピーカ
(４)  スピーカケーブル
(５)  システムケーブル
(６)  第１出力端子部
(63)  検出端子
(60)  第２出力端子部
(66)  検出端子
(７)  セレクター
(71)  切替スイッチ
(72)  切替スイッチ
(８)  システムケーブル端子部
(83)  第１検出信号出力端子
(84)  第２検出信号出力端子
【図１】
2005065111.tif 000003
【図２】
2005065111.tif 000004
【図３】
2005065111.tif 000005
【図４】
2005065111.tif 000006
【図５】
2005065111.tif 000007